(57)【要約】  【課題】  洗浄体を固定して、屈曲された状態に維持することができ、屈曲部の不要な変形を抑制することができ、ユーザが把持し易い洗浄具を提供する。  【解決手段】  洗浄体４は不織布４１及びスポンジ４２を接着してなる柔軟な板状であり、屈曲された洗浄体４を保持体５が保持する。保持体５は、屈曲された洗浄体４の屈曲部４ｂ内面にその端部を当接する芯板３と、屈曲された洗浄体４を芯板３の両面との間で挟持する挟持体２とを備える。このため、屈曲された洗浄体４の屈曲部４ｂの内側には硬質な芯板３が配されている。ユーザは保持体５の挟持体２を把持して、洗浄体４の屈曲部４ｂで被洗浄部を擦って洗浄する。【選択図】        図１
2006081770.tif 000002
【特許請求の範囲】
【請求項１】
被洗浄部を擦って洗浄する板状の洗浄体と、該洗浄体を保持する保持体とを備える洗浄具において、
前記洗浄体は前記保持体よりも柔軟で屈曲可能であり、屈曲された状態で前記保持体に保持され、
前記保持体は、屈曲された前記洗浄体の屈曲部内面にその端部を当接する芯板、及び屈曲された前記洗浄体を前記芯板の両面との間で挟持する挟持体を備えることを特徴とする洗浄具。
【請求項２】
前記芯板及び前記挟持体の少なくとも一方は、前記洗浄体に食い込む突起部を有することを特徴とする請求項１に記載の洗浄具。
【請求項３】
前記挟持体は、２本の板状腕部夫々の一面が対向するように前記板状腕部夫々の基端が連結されている可撓部材であり、
前記芯板は、対向する前記板状腕部の間に挿脱可能に配され、前記芯板の中央部に前記板状腕部によって挟持される凸部を有することを特徴とする請求項１又は２に記載の洗浄具。
【請求項４】
前記芯板は略四角形であり、前記洗浄体に当接する端部に連続する端部にスクレーパを有することを特徴とする請求項１乃至３の何れか一項に記載の洗浄具。
【発明の詳細な説明】
【技術分野】
【０００１】
本発明は、被洗浄部を擦って洗浄する洗浄具に関する。
【背景技術】
【０００２】
不織布及び／又はスポンジを用いてなるタワシ、織布を用いてなる雑巾等、柔軟性を有する洗浄体は、台所のシンク、調理台等の被洗浄部を擦って洗浄する際に使用される（特許文献１参照）。
【０００３】
特に、狭い面積、汚れが酷い部分等を洗浄する場合、ユーザは洗浄体を屈曲させ、屈曲部で被洗浄部を擦って洗浄することがある。
【特許文献１】特開２００１−１６１６１５号公報
【発明の開示】
【発明が解決しようとする課題】
【０００４】
しかしながら、洗浄体は柔軟であるため、屈曲された洗浄体をユーザが把持し難いことがあり、また、被洗浄部に擦りつけられた洗浄体の屈曲部が不必要に変形し、この結果、被洗浄部の汚れを洗浄し難いことがあるという問題があった。更に、屈曲された洗浄体は容易に元の形状に戻るため、洗浄体を屈曲された状態に維持することができないという問題もあった。
【０００５】
本発明は斯かる問題を解決するためになされたものであり、屈曲された洗浄体の内側に配される芯板、及び屈曲された洗浄体を芯板との間で挟持する挟持体を備える保持体で洗浄体を保持する構成とすることにより、ユーザが把持し易く、洗浄体を固定して、屈曲された状態に維持することができ、屈曲部の不要な変形を抑制することができる洗浄具を提供することを目的とする。
【０００６】
本発明の他の目的は、芯板及び／又は挟持体が洗浄体に食い込む突起部を備えることにより、挟持された洗浄体を確実に固定することができる洗浄具を提供することにある。
【０００７】
本発明の他の目的は、挟持体が、２本の板状腕部が連結されてなる可撓部材であり、芯板が、対向する板状腕部の間に挿脱可能に配されて挟持体に挟持される構成とすることにより、ユーザが更に把持し易く、洗浄体及び芯板を固定することができ、また、容易に製造することができる洗浄具を提供することにある。
【０００８】
本発明の更に他の目的は、芯板にスクレーパを有することにより、擦って洗浄するだけでなく、掻き取って清掃することもできる洗浄具を提供することにある。
【課題を解決するための手段】
【０００９】
第１発明に係る洗浄具は、被洗浄部を擦って洗浄する板状の洗浄体と、該洗浄体を保持する保持体とを備える洗浄具において、前記洗浄体は前記保持体よりも柔軟で屈曲可能であり、屈曲された状態で前記保持体に保持され、前記保持体は、屈曲された前記洗浄体の屈曲部内面にその端部を当接する芯板、及び屈曲された前記洗浄体を前記芯板の両面との間で挟持する挟持体を備えることを特徴とする。
【００１０】
第２発明に係る洗浄具は、前記芯板及び前記挟持体の少なくとも一方は、前記洗浄体に食い込む突起部を有することを特徴とする。
【００１１】
第３発明に係る洗浄具は、前記挟持体は、２本の板状腕部夫々の一面が対向するように前記板状腕部夫々の基端が連結されている可撓部材であり、前記芯板は、対向する前記板状腕部の間に挿脱可能に配され、前記芯板の中央部に前記板状腕部によって挟持される凸部を有することを特徴とする。
【００１２】
第４発明に係る洗浄具は、前記芯板は略四角形であり、前記洗浄体に当接する端部に連続する端部にスクレーパを有することを特徴とする。
【００１３】
第１発明にあっては、洗浄体が板状であり、屈曲可能な柔軟性を有し、屈曲された洗浄体を保持体が保持する。保持体は芯板と挟持体とを備え、芯板は、芯板の端部が、屈曲された洗浄体の屈曲部内面に当接する。即ち、芯板の端部は、屈曲された洗浄体の内側に配され、屈曲された洗浄体の両端部は、芯板の両面に接近する。また、挟持体は、屈曲された洗浄体を、洗浄体の内側に配された芯板の両面との間で挟持する。つまり、洗浄体は、例えば洗浄体の両端部及び／又は両端部近傍が、挟持体で、並びに挟持体と芯板との間で固定される。
【００１４】
以上のようにして、保持体は洗浄体を保持する。ユーザは、洗浄体を保持している保持体を把持して、その内側に芯板が配置された洗浄体の屈曲部で被洗浄部を擦って洗浄する。
【００１５】
第２発明にあっては、芯板及び／又は挟持体に突起部を有する。この突起部が、挟持された洗浄体に食い込むため、芯板及び挟持体は、洗浄体を確実に固定する。
【００１６】
第３発明にあっては、挟持体が可撓部材であり、この可撓部材は、２本の板状腕部夫々の一面が対向するように、板状腕部夫々の基端が連結されている。つまり、挟持体はＵ字状の可撓部材である。また、板状腕部の一方、屈曲された洗浄体の一端部、芯板、屈曲された洗浄体の他端部、及び板状腕部の他方が、この順に配される。
【００１７】
芯板は、対向する板状腕部の間に挿脱可能に配される。即ち、芯板と挟持体とは別体に設けられる。挟持体は、芯板の中央部に設けられている凸部と洗浄体とを板状腕部で挟持する。更に、挟持体は、屈曲された洗浄体の内側に配された芯板を板状腕部の間に対して挿脱する場合に、板状腕部をＵ字の外側に撓ませることによって挿脱を容易にする。更にまた、挟持体は、芯板の中央部に設けられている凸部と洗浄体とを挟持する場合に、板状腕部がＵ字の内側に撓もうとすることによって、洗浄体及び芯板を固定する。
【００１８】
第４発明にあっては、芯板が略四角形であり、芯板の端部にスクレーパ、即ち掻き板を有する。スクレーパを有する端部は、洗浄体に当接する端部ではなく、洗浄体に当接する端部に連続する端部であるため、屈曲された洗浄体の内側にスクレーパが配されることはない。
【発明の効果】
【００１９】
第１発明の洗浄具によれば、屈曲された洗浄体を、洗浄体よりも硬質の保持体が保持することによって、屈曲された洗浄体が元の形状に戻ろうとする動きを阻止し、このため、柔軟な洗浄体を屈曲された状態に維持することができる。また、洗浄体を保持している保持体をユーザが把持することができ、このため、屈曲された洗浄体をユーザが把持し易くすることができる。更に、屈曲された洗浄体の内側に配置されている芯板の剛性によって、洗浄体の屈曲部で被洗浄部を擦る場合でも洗浄体の屈曲部が不必要に変形することを抑制することができる。以上の結果、本発明の洗浄具は、被洗浄部の汚れを洗浄し易い。
【００２０】
更にまた、洗浄体と保持体とが別体であり、また、洗浄体は保持体の挟持体と芯板とで挟持するため、洗浄体を保持体に対して容易に挿脱することができる。更に、洗浄体に汚れ、磨耗等の不具合が生じた場合に洗浄体を取り替えることによって洗浄具の洗浄能力を維持することができる。また、汚れて保持体から取り外された洗浄体は容易に洗濯することができる。更に、洗浄具は洗浄体を予め屈曲された状態に維持しておくことができるため、狭い面積、汚れが酷い部分等を洗浄する場合にも、いちいち洗浄体を屈曲させる必要がなく、このため、ユーザの利便性が向上されている。
【００２１】
第２発明の洗浄具によれば、突起部が洗浄体に食い込むため、芯板及び挟持体は洗浄体を確実に固定する。この結果、保持体が、屈曲された洗浄体を確実に保持することができる。
【００２２】
第３発明の洗浄具によれば、挟持体がＵ字状の可撓部材であるため、挟持体、ひいては保持体は、ユーザが更に把持し易い。また、芯板と挟持体とは別体であるが、挟持体が芯板の凸部を挟持して、芯板を確実に固定することができ、このため、芯板のガタつき、ひいては芯板に当接する洗浄体のガタつきを抑制することができる。以上の結果、本発明の洗浄具は、被洗浄部の汚れを洗浄し易い。
【００２３】
更に、挟持体と芯板とが別体に形成されるため、挟持体及び芯板夫々を容易に製造することができる。
【００２４】
更にまた、挟持体の対向する板状腕部の間に芯板を挿入して板状腕部で凸部を挟持することによって、保持体を構成することができる。また、屈曲された洗浄体の内側に配された芯板を板状腕部の間に対して挿脱する場合に、板状腕部がＵ字の外側に撓むため、挿脱が容易である。更に、板状腕部がＵ字の内側に撓んで洗浄体及び芯板を固定するため、これらを固定するために別の固定具を用いる必要がなく、保持体の構成が簡易である。以上の結果、ユーザにとって洗浄具の組み立て／解体が容易である。
【００２５】
第４発明の洗浄具によれば、芯板が有するスクレーパによって、洗浄体で擦って洗浄するだけでなく、被洗浄部にこびりついた汚れをも掻き取って清掃することができる。また、スクレーパが、洗浄体に当接する端部ではなく、洗浄体に当接する端部に連続する端部に設けられるため、スクレーパで汚れを掻き落とす場合に、いちいち洗浄体を芯板から取り外す必要がない等、本発明は優れた効果を奏する。
【発明を実施するための最良の形態】
【００２６】
以下、本発明を、その実施の形態を示す図面に基づいて詳述する。
【００２７】
図１は、本発明に係る洗浄具１をユーザが把持した状態を示す側面図であり、図２は、洗浄具１の構成を示す平面図である。洗浄具１は、図示しない被洗浄部を擦って洗浄する板状の洗浄体４と、屈曲された洗浄体４を保持する保持体５とを備える。洗浄体４は、不織布４１と板状のスポンジ４２とを接着してあり、保持体５よりも柔軟で、屈曲可能である。ユーザは、洗浄体４を保持している保持体５を片手で把持する。
【００２８】
保持体５は、側面視が下膨れのＵ字状であり、平面視が略四角形である挟持体２と、平面視が略四角形の芯板３とを備える。挟持体２のＵ字の腕部は板状腕部２１，２１であり、挟持体２は、２本の板状腕部２１，２１夫々の一面が対向するように板状腕部２１，２１夫々の基端が連結されている可撓部材である。芯板３は、屈曲された洗浄体４の屈曲部４ｂ内面に芯板３の端部（具体的には、当接端部３ａ（図５参照））を当接しており、また、芯板３の両面夫々の中央部に、板状腕部２１，２１によって挟持される凸部３２，３２を有し、更に、板状腕部２１，２１間に挿脱可能に配してある。
【００２９】
つまり、板状腕部２１，２１は、芯板３の両面側に配され、また、屈曲された洗浄体４の両端部４ａ，４ａ及び両端部４ａ，４ａ近傍を芯板３との間で挟持することによって屈曲された洗浄体４を固定し、更に、芯板３の凸部３２，３２を挟持することによって芯板３を固定する。
【００３０】
各板状腕部２１の挟持体２内面側には２個の突起部２２，２２が設けられ、芯板３には両面夫々に４個ずつの突起部３１，３１，…が設けられており、突起部２２，３１，…は、挟持している洗浄体４に食い込んで、洗浄体４を更に強固に固定する。
【００３１】
更にまた、芯板３は、側方端部（更に詳細には、洗浄体４に当接する当接端部３ａ（図５参照）に連続する端部）にスクレーパ３３を有する。
【００３２】
図３は、洗浄体４の構成を示す斜視図である。洗浄体４は、平面視が略長方形であり、長方形の短辺側の各端部４ａの長さＢ４が約６０ｍｍ、長辺側の各端部の長さが約９０ｍｍである。また、洗浄体４は、夫々の平面視が略同形状同面積の不織布４１とスポンジ４２とを積層してある。
【００３３】
スポンジ４２は、厚さが約１０ｍｍの板状である。また、不織布４１の一面には、長辺方向に並置され、その長手方向が短辺方向に沿う起毛列４１ａ，４１ａ，…が形成してある。各起毛列４１ａは約２ｍｍの幅と約１ｍｍの高さとを有し、一対の起毛列４１ａ，４１ａが約１ｍｍ離間して並置され、一対の起毛列４１ａ，４１ａ同士が約４ｍｍ離間して規則的に並置されている。一方、不織布４１の下面は起毛しておらず、起毛していない不織布４１の下面とスポンジ４２の一面とが接着してある。不織布４１の厚さは、起毛列４１ａの高さを除いて約１ｍｍである。
【００３４】
このような洗浄体４は、スポンジと、起毛列を有する面を上面とした不織布との積層体を、長辺が起毛列に略垂直に、短辺が起毛列に略平行になるよう９０ｍｍ×６０ｍｍに裁断して形成する。
【００３５】
不織布４１はポリエステル製であり、スポンジ４２はウレタン製であり、夫々多孔質で柔軟性を有している。このため、洗浄体４は容易に屈曲し、また、屈曲した状態から、弾性によって容易に元の板状に戻る。更に、洗浄体４は多孔質であるため洗剤液を多量に含むことができ、しかも泡立て易く、この結果、被洗浄部の擦り洗いに適している。
【００３６】
ただし、不織布４１はスポンジ４２よりも硬質であり、しかも起毛列４１ａ，４１ａ，…が形成してあるため、被洗浄部に対する摩擦力が大きい。この結果、不織布４１はスポンジ４２よりも被洗浄部の汚れを落とし易く、汚損が激しい被洗浄部の洗浄に適しており、更に、汚損が少ない被洗浄部に対しては、洗剤液の使用量を低減可能である。なお、不織布４１を形成する繊維は、その長手方向に凸条部を有する異形断面繊維でも良く、この場合、不織布４１の被洗浄部に対する摩擦力が更に大きくなる。
【００３７】
一方、スポンジ４２は、被洗浄部に対する摩擦力が小さいため、不織布４１に比べて被洗浄部を傷つけにくく、また、傷がつきやすい被洗浄部、汚損が少ない被洗浄部等の洗浄に適している。
【００３８】
以上のような洗浄体４は、特に保持体５から取り外されている状態では、洗浄体４に残留する洗剤液、汚れ等を容易に洗濯することができ、また、多孔質であるため、洗濯後に洗浄体４が速やかに乾燥する。この結果、洗浄体４を容易に清潔に保つことができる。更に、被洗浄部の形状、汚損の度合い等に応じて、保持体５から取り外した洗浄体４単体で被洗浄部を洗浄することも可能である。
【００３９】
図４は、挟持体２の構成を示し、図４（ａ）は平面図であり、図４（ｂ）は側面図である。挟持体２は、厚さ約３ｍｍであり、可撓性を有する略長方形の合成樹脂板を、長辺方向に、下膨れのＵ字状に湾曲させたような外形に成型してある。このため、挟持体２は、Ｕ字の上部と、Ｕ字の前部及び奥部（平面視の左右側部）とが開口している。
【００４０】
挟持体２のＵ字の下部、即ち板状腕部２１，２１の連結部分は、側面視が内径約１９ｍｍの円弧状である。また、板状腕部２１，２１の離隔距離は、板状腕部２１，２１同士の基端側から板状腕部２１，２１夫々の先端側まで徐々に減少しており、最大離隔距離は約１２ｍｍ、最小離隔距離は約３ｍｍである。つまり、挟持体２は、板状腕部２１，２１同士が、挟持体２のＵ字の下部側から上部側まで徐々に接近するように形成してある。挟持体２の平面視の高さＨ２は約７５ｍｍ、幅Ｂ２は約６０ｍｍであって、幅Ｂ２と洗浄体４の長さＢ４とは略等しい。
【００４１】
各板状腕部２１の内面には、上部から約３ｍｍ及び約１５ｍｍ、左右側部から略等距離の位置に突起部２２，２２が設けられている。突起部２２，２２は、上部側から下部側へ突出高さが漸次増加するテーパ状であり、最大突出高さが約２ｍｍの立爪である。突起部２２，２２，…は挟持体２の成型の際に一体形成されても良く、挟持体２とは別体の突起部２２，２２，…が挟持体２に接着されても良い。
【００４２】
突起部２２，２２，…は、挟持体２のＵ字の上部開口から板状腕部２１，２１間へ挿入される洗浄体４及び芯板３に対し、上から下への摺動を阻害しない。一方、板状腕部２１，２１間に挿入された洗浄体４に突起部２２，２２，…が食い込み、下から上への摺動、左右方向への摺動等を阻害する。即ち、突起部２２，２２，…は、洗浄体４の抜け止めとして機能する。
【００４３】
図５は、芯板３の構成を示し、図５（ａ）は平面図であり、図５（ｂ）は側面図である。芯板３は、挟持体２及び洗浄体４よりも可撓性及び柔軟性が低く剛性が高い略長方形の合成樹脂板であり、厚みは約３ｍｍである。芯板３は、長方形の短辺側の一端部が、洗浄体４に当接すべき当接端部３ａであり、長方形の長辺側の一端部、即ち当接端部３ａに連続する端部に、掻き板であるスクレーパ３３を有する。また、芯板３は、当接端部３ａに対向する短辺側の端部３ｂの両隅に、長辺方向に約２ｍｍ突出する抜け止め３ｄ，３ｄを有する。
【００４４】
以上のような芯板３は、合成樹脂を用いて成型してあり、突起部３１，３１，…、凸部３２、及び抜け止め３ｄ，３ｄ，…は芯板３の成型の際に一体形成される。
【００４５】
抜け止め３ｄ，３ｄ間の長さＢ３は約６０ｍｍであり、長さＢ３と挟持体２の幅Ｂ２と洗浄体４の長さＢ４とは略等しい。抜け止め３ｄ，３ｄは、芯板３が、端部３ｂ側を挟持体２内に向けて、挟持体２の板状腕部２１，２１間に挿入された場合に、抜け止め３ｄ，３ｄが挟持体２のＵ字の底部の左右端面に当接して、芯板３が挟持体２の側方へ移動し挟持体２から脱離することを抑制する。
【００４６】
芯板３の端部３ａ，３ｂ間の長さＨ３は約８５ｍｍであり、長さＨ３は挟持体２の高さＨ２よりも長く、このため、芯板３が挟持体２内に挿入された場合、芯板３の当接端部３ａ側が挟持体２の上部から挟持体２外に突出する。また、芯板３の端部３ａは約７０ｍｍであり、このため、芯板３が挟持体２内に挿入された場合、スクレーパ３３が挟持体２の側部から挟持体２外に突出する。
【００４７】
芯板３の両面には、夫々４個の突起部３１，３１，…と、４個の凸条部３２ａ，３２ａ，…で構成された凸部３２とが設けられており、芯板３の両面夫々に設けられている突起部３１，３１，…及び凸部３２の形状、配置等は略同様である。
【００４８】
芯板３の一面に設けられている各突起部３１は、当接端部３ａ側から端部３ｂ側へ突出高さが漸次増加するテーパ状であり、最大突出高さが約２ｍｍの立爪である。突起部３１，３１，…は、芯板３の一面上の仮想的な長方形の四隅に配置されており、この長方形は、２本の長辺夫々が約４０ｍｍで、当接端部３ａに略平行に配され、当接端部３ａからの離隔距離が約５ｍｍ及び約３０ｍｍである。
【００４９】
屈曲部４ｂの内面が当接端部３ａに当接し、屈曲した洗浄体４の内面が芯板３の両面に接触した場合、突起部３１，３１，…は洗浄体４に食い込み、芯板３の長辺方向及び短辺方向夫々への洗浄体４の摺動を阻害する。即ち、突起部３１，３１，…は、洗浄体４の抜け止めとして機能する。
【００５０】
芯板３の一面に設けられている凸部３２の凸条部３２ａ，３２ａ，…夫々は、幅が約２ｍｍ、長手方向の長さが約３０ｍｍであり、長手方向が芯板３の長辺方向に沿って、互いに約５ｍｍずつ離隔して設けられている。各凸条部３２ａの長手方向端部３ｂ側の約半分は、当接端部３ａ側から端部３ｂ側へ突出高さが漸次減少するテーパ状であり、最大突出高さは約５ｍｍである。凸部３２は、凸部３２のテーパ側端部の端部３ｂからの離隔距離は１５ｍｍである。
【００５１】
つまり、凸部３２には、凸条部３２ａ，３２ａ，…同士の離間部である溝部が形成されている。このような溝部がない凸部３２は、凸部３２の成型時に傷がつき易い。また、芯板３が、端部３ｂ側を挟持体２内に向けて、挟持体２の板状腕部２１，２１間に挿入される場合に、凸条部３２ａ，３２ａ間を挟持体２の突起部２２，２２が通過することによって、突起部２２，２２，…及び凸部３２，３２は、芯板３の挟持体２内部への挿入を案内する。更に、上述の場合に、凸条部３２ａ，３２ａのテーパ部が挟持体２の内面に摺動することによって、芯板３の挟持体２内部への挿入を容易にする。
【００５２】
更にまた、上述の場合に、芯板３の厚みが約３ｍｍ、凸部３２の突出高さが約５ｍｍであり、挟持体２の板状腕部２１，２１間の離隔距離が約３ｍｍから約１２ｍｍであるため、凸部３２，３２は、挟持体２の板状腕部２１，２１によって挟持される。
【００５３】
図６は、洗浄具１の組み立て方法を示す説明図である。洗浄具１のユーザは、挟持体２、芯板３、及び洗浄体４を準備し、まず、芯板３の当接端部３ａを、洗浄体４の一面に、洗浄体４の短辺側の端部４ａに略平行に、長辺側端部の略中心に当接させた状態で、洗浄体４をく字状に屈曲させる。又は、ユーザは洗浄体４を屈曲させ、屈曲させた洗浄体４で、芯板３の当接端部３ａ側を挟持し、洗浄体４の屈曲部４ｂ内面に当接端部３ａを当接させる。更に、ユーザは、く字状に屈曲された洗浄体４の内面を、芯板３の両面に接触させる。このとき、屈曲された洗浄体４の内面に、芯板３の突起部３１，３１，…が食い込む。また、上述のとき、洗浄体４の両端部４ａ，４ａと芯板３の凸部３２とは接触しない。
【００５４】
次に、ユーザは、芯板３を、洗浄体４で挟持したまま、端部３ｂ側を挟持体２内に向け、板状腕部２１，２１の上部を外側へ撓ませて、挟持体２の上部開口から挟持体２内へ、端部３ｂが挟持体２の底部内面に当接するまで、図中白抜矢符方向に押し込んで、芯板３及び洗浄体４の両端部４ａ，４ａを挟持体２内へ挿入する。この場合、ユーザは、端部３ｂ側の抜け止め３ｄ，３ｄが挟持体２の側部開口から外部に露出するように配置する。このとき、芯板３の凸部３２のテーパ部と挟持体２内面とが摺動し、芯板３の挿入を容易にし、挟持体２の板状腕部２１，２１内面の突起部２２，２２が芯板３の凸部３２の凸条部３２ａ，３２ａ間に挿入されて芯板３の移動を案内する。
【００５５】
挟持体２の板状腕部２１，２１は、芯板３の両面側に離隔して配され、芯板３を挿入する間、板状腕部２１，２１内面の突起部２２，２２，…のテーパ部が、屈曲された洗浄体４の外面に摺動する。また、板状腕部２１，２１は、芯板３の挿入完了後、屈曲された洗浄体４の両端部４ａ，４ａ及び両端部４ａ，４ａ近傍を、洗浄体４の内側に配置されている芯板３の両面との間で挟持する。この場合、突起部３１，３１，…に加えて、突起部２２，２２，…が屈曲された洗浄体４に食い込む。
【００５６】
芯板３、及び洗浄体４の両端部４ａ，４ａ夫々の厚みの合計は、板状腕部２１，２１の離隔距離より大きい。このため、芯板３及び洗浄体４を挟持する板状腕部２１，２１は、芯板３、及び洗浄体４の上部側端部が外側へ撓む。この場合、撓んだ板状腕部２１，２１が元の形状に戻るべく内側に撓もうとするため、洗浄体４は板状腕部２１，２１と芯板３との間で固定される。
【００５７】
以上のようにして、挟持体２と芯板３とで構成される保持体５が洗浄体４を保持する。ユーザは、挟持体２の下部を掌側に向け、一方の板状腕部２１の中央部に親指を、他方の板状腕部２１の中央部に人差し指、中指、薬指及び小指を配置して、洗浄体４を保持している保持体５、具体的には挟持体２を把持する。
【００５８】
さて、板状腕部２１，２１が外側へ撓むため、板状腕部２１，２１と芯板３の凸部３２，３２との間には僅かに空隙が生じる。しかしながら、挟持体２がユーザに把持されることによって、板状腕部２１，２１の中央部が内側に撓み、芯板３の凸部３２，３２を確実に把持する。また、板状腕部２１，２１の中央部が内側に撓むため、洗浄体４は板状腕部２１，２１と芯板３との間で確実に固定される。
【００５９】
以上のようにして組み立てられた洗浄具１は、ユーザが芯板３又は洗浄体４を摘持して、挟持体２の上部開口から挟持体２外へ引き抜くことによって、簡単に解体され、挟持体２、芯板３、及び洗浄体４が分離される。つまり、芯板３は、板状腕部２１，２１間に挿脱可能に配される。洗浄具１を分解する場合にも、凸部３２のテーパ部が芯板３の移動を容易にし、また、突起部２２，２２と芯板３の凸部３２の溝部とが芯板３の移動を案内する。ここで、挟持体２から芯板３及び洗浄体４を引き抜く場合、板状腕部２１，２１の先端部を外側へ撓ませることによって、挟持体２内面の突起部２２，２２，…が洗浄体４の外面に擦過することを抑制して、より引き抜き易くすることができる。
【００６０】
以上のような洗浄具１を用いる場合、ユーザは、洗浄体４を保持している保持体５を片手で把持し、その内側に芯板３が配置された洗浄体４の屈曲部４ｂで、台所のシンク又は調理台、浴室の床又は浴槽、洗面台、便所の便器又は床等の被洗浄部を擦って洗浄する。また、特に被洗浄部に汚れがこびりついている場合は、保持体５を９０度回転させて持ち替え、挟持体２の側部から突出するようにして配置されているスクレーパ３３で被洗浄部の汚れを掻き取って清掃する。
【００６１】
このような洗浄具１は、屈曲された柔軟な洗浄体４を、洗浄体４よりも硬質の保持体５が保持することによって、屈曲された洗浄体４が弾性によって元の形状に戻ろうとする動きを阻止し、このため、洗浄体４を屈曲された状態に維持することができる。また、洗浄体４を保持している保持体５、更に詳細には洗浄体４及び芯板３を挟持している板状腕部２１，２１をユーザが把持することができ、このため、屈曲された洗浄体４をユーザが把持し易くすることができる。更にまた、屈曲された洗浄体４の内側に配置されている芯板３の剛性によって、洗浄体４の屈曲部４ｂで被洗浄部を擦る場合でも洗浄体４の屈曲部４ｂが不必要に変形することを抑制することができる。
【００６２】
また、挟持体２が下膨れのＵ字状であるため、保持体５はユーザが把持し易い。更に、芯板３と挟持体２とは別体であるが、板状腕部２１，２１が芯板３の凸部３２を挟持するため、芯板３を確実に固定することができ、芯板３のガタつき、ひいては芯板３に当接する洗浄体４のガタつきを抑制することができる。
【００６３】
更にまた、洗浄体４の両端部４ａ，４ａ及び両端部４ａ，４ａ近傍が、板状腕部２１，２１の間、更には挟持体２と芯板３との間で固定される。また、突起部２２，３１，…が洗浄体４に食い込むため、芯板３及び板状腕部２１，２１は洗浄体４を確実に固定する。以上の結果、保持体５が、屈曲された洗浄体４を確実に保持することができる。なお、突起部２２，３１，…の内、突起部２２，２２，…のみが設けられても良く、突起部３１，３１，…のみが設けられても良いが、本実施の形態のように突起部２２，３１，…の両方が設けられている場合の方が、片方のみが設けられている場合よりも更に確実に洗浄体４を固定する。
【００６４】
更に、洗浄具１は、不織布４１とスポンジ４２とリバーシブルに用いることができ、このため、被洗浄部の汚れの度合い、被洗浄部の傷つき易さ等に応じて、汚れを落とし易い不織布４１と傷をつけにくいスポンジ４２とを使い分けることができる。
【００６５】
更にまた、芯板３が有するスクレーパ３３によって、洗浄体４で擦って洗浄するだけでなく、被洗浄部にこびりついた汚れをも掻き取って清掃することができる。また、スクレーパ３３が、洗浄体４に当接する端部ではなく、洗浄体４に当接する端部に連続する端部に設けられるため、スクレーパ３３で汚れを掻き落とす場合に、いちいち洗浄体４を芯板３から取り外す必要がない。更にまた、スクレーパ３３を有する芯板３が挟持体２に挟持されているため、ユーザは挟持体２を把持してスクレーパ３３を利用することができ、芯板３を直接的に把持してスクレーパ３３を利用する場合よりも把持し易い。
【００６６】
以上の結果、本発明の洗浄具１は、被洗浄部の汚れを洗浄し易い。
【００６７】
また、洗浄体４と保持体５とが別体であり、更に、洗浄体４は保持体５で挟持するため、洗浄体４を保持体５に対して容易に挿脱することができ、更にまた、洗浄体４に汚れ、磨耗等の不具合が生じた場合に洗浄体４を取り替えることによって洗浄具１の洗浄能力を維持することができる。また、汚れて保持体５から取り外された洗浄体４は容易に洗濯することができる。更に、洗浄具１は洗浄体４を予め屈曲された状態に維持しておくことができるため、狭い面積、汚れが酷い部分等を洗浄する場合にも、いちいち洗浄体４を屈曲させる必要がなく、このため、ユーザの利便性が向上されている。
【００６８】
更にまた、芯板３を板状腕部２１，２１間に挿入して板状腕部２１，２１で凸部３２，３２を挟持することによって、保持体５を構成することができる。また、板状腕部２１，２１が撓んで洗浄体４及び芯板３を固定するため、これらを固定するために別の固定具を用いる必要がなく、保持体５の構成が簡易である。以上の結果、ユーザにとって洗浄具１の組み立て／解体が容易である。
【００６９】
更に、板状腕部２１，２１と芯板３とが別体に形成されるため、板状腕部２１，２１及び芯板３夫々を容易に製造することができる。
【００７０】
なお、保持体の可撓部材と芯板とは一体形成されても良い。この場合、芯板と可撓部材のＵ字の底部とが一体になっていても良く、芯板の凸部と挟持体の内面とが一体になっていても良い。また、２本の板状腕部は、互いに形状、サイズ、素材等が異なっても良い。更に、洗浄体４は不織布のみ、スポンジのみで構成されても良く、不織布及びスポンジ以外（例えば織布）を用いても良い。更にまた、通常は洗浄体４には水、洗剤液等を含ませて用いるが、洗浄体４が乾燥した状態で清掃しても良い。
【図面の簡単な説明】
【００７１】
【図１】本発明に係る洗浄具をユーザが把持した状態を示す側面図である。
【図２】本発明に係る洗浄具の構成を示す平面図である。
【図３】本発明に係る洗浄具が備える洗浄体の構成を示す斜視図である。
【図４】本発明に係る洗浄具が備える挟持体の構成を示す平面図及び側面図である。
【図５】本発明に係る洗浄具が備える芯板の構成を示す平面図及び側面図である。
【図６】本発明に係る洗浄具の組み立て方法を示す説明図である。
【符号の説明】
【００７２】
１  洗浄具
２  挟持体（可撓部材）
２１  板状腕部
２２，３１  突起部
３  芯板
３ａ  当接端部（端部）
３２  凸部
３３  スクレーパ
４  洗浄体
４ｂ  屈曲部
５  保持体
【図１】
2006081770.tif 000003
【図２】
2006081770.tif 000004
【図３】
2006081770.tif 000005
【図４】
2006081770.tif 000006
【図５】
2006081770.tif 000007
【図６】
2006081770.tif 000008